(57)【要約】【課題】電線径に係わらず電線を保持できるコネクタを提供する。【解決手段】コネクタハウジング１０と、コネクタハウジング１０の開口部１５を閉塞するカバー２０と、電線引出孔１４内に突出する可撓性のハウジング側電線保持部１７と、カバー２０に設けられ、電線引出孔１４内に突出する可撓性のカバー側電線保持部２２とを備え、ハウジング側電線保持部１７とカバー側電線保持部２２が撓み変形した状態で電線Ｗを挟み込んで電線Ｗを保持する。【選択図】図２
2019096455.tif 000002
【特許請求の範囲】
【請求項１】
電線が接続された端子と、
前記端子を収容する端子収容室及び前記電線を外部に引き出す電線引出孔を有し、前記端子及び前記電線を挿入する開口部が設けられたコネクタハウジングと、
前記コネクタハウジングに装着され、前記開口部を閉塞するカバーと、
前記コネクタハウジングに設けられ、前記電線引出孔内に突出する可撓性のハウジング側電線保持部と、
前記カバーに設けられ、前記コネクタハウジングに装着された状態では前記電線引出孔内に突出する可撓性のカバー側電線保持部とを備え、
前記ハウジング側電線保持部と前記カバー側電線保持部が撓み変形した状態で前記電線を挟み込んで前記電線を保持することを特徴とするコネクタ。
【請求項２】
請求項１記載のコネクタであって、
前記カバーは、前記コネクタハウジングにヒンジ部を介して連結されていることを特徴とするコネクタ。
【請求項３】
請求項１又は請求項２記載のコネクタであって、
前記ハウジング側電線保持部と前記カバー側電線保持部は、間隔を空けて配置された２本の支持アーム部と、２本の前記支持アーム部の先端間を連結する保持アーム部とを有することを特徴とするコネクタ。
【請求項４】
請求項１〜請求項３のいずれかに記載のコネクタであって、
前記ハウジング側電線保持部と前記カバー側電線保持部は、電線の引出方向に交互に配置され、双方合せて３箇所以上配置されていることを特徴とするコネクタ。
【請求項５】
請求項１〜請求項４のいずれかに記載のコネクタであって、
相手端子との接続方向と前記電線の引出方向がほぼ直角の向きに形成されていることを特徴とするコネクタ。
【発明の詳細な説明】
【技術分野】
【０００１】
本発明は、コネクタハウジングより引き出される電線の保持構造を有するコネクタに関する。
【背景技術】
【０００２】
この種の従来のコネクタとして、特許文献１に開示されたものが提案されている。このコネクタ１００は、図１０及び図１１に示すように、電線Ｗが接続された端子１０１と、端子１０１を収容するコネクタハウジング１１０と、電線Ｗを保持する電線保持部材１２０とを備えている。
【０００３】
コネクタハウジング１１０には、端子１０１を収容する一対の端子収容室１１１と、各端子収容室１１１に連続し、電線Ｗを外部に引き出すための一対の電線引出孔１１２とが設けられている。各電線引出孔１１２の後端には、開口部１１３が形成されている。
【０００４】
電線保持部材１２０は、一対の電線保持溝１２１ａを有する本体部１２１と、本体部１２１に連結された係止部１２２とを有する。本体部１２１は、コネクタハウジング１１０の開口部１１３より電線引出孔１１２に挿入されている。各電線保持溝１２１ａは、電線Ｗの直径寸法幅と同じ幅に形成されている。係止部１２２は、コネクタハウジング１１０の外部に突出し、コネクタハウジング１１０の係止用突起１１４に係止されている。
【０００５】
各電線Ｗは、電線保持溝１２１ａの３方向の内面と電線引出孔１１２の１方向の内面に挟持されている。電線Ｗがコネクタハウジング１１０に移動できないように保持されるため、電線Ｗがコネクタハウジング１１０内で移動（振動）することに起因する電線Ｗの被覆部の摩耗、異音の発生、端子１０１の接点部の摩耗等を防止している。
【先行技術文献】
【特許文献】
【０００６】
【特許文献１】特開２０１６−７６４１０号公報
【発明の概要】
【発明が解決しようとする課題】
【０００７】
しかしながら、前記従来例のコネクタ１００では、電線保持溝１２１ａの幅寸法の電線Ｗ、つまり、一定の電線径の電線Ｗしか保持することができないという問題がある。
【０００８】
そこで、本発明は、前記した課題を解決すべくなされたものであり、電線径に係わらず電線を保持できるコネクタを提供することを目的とする。
【課題を解決するための手段】
【０００９】
本発明は、電線が接続された端子と、前記端子を収容する端子収容室及び前記電線を外部に引き出す電線引出孔を有し、前記端子及び前記電線を挿入する開口部が設けられたコネクタハウジングと、前記コネクタハウジングに装着され、前記開口部を閉塞するカバーと、前記コネクタハウジングに設けられ、前記電線引出孔内に突出する可撓性のハウジング側電線保持部と、前記カバーに設けられ、前記コネクタハウジングの装着状態では前記電線引出孔内に突出する可撓性のカバー側電線保持部とを備え、前記ハウジング側電線保持部と前記カバー側電線保持部が撓み変形した状態で前記電線を挟み込んで前記電線を保持することを特徴とするコネクタである。
【発明の効果】
【００１０】
本発明によれば、共に可撓性のハウジング側電線保持部とカバー側電線保持部が撓み変形した状態で電線を挟み込んで電線を保持するため、撓み変形によって挟持可能な電線径の範囲内であれば、電線径に係わらず電線を保持できる。
【図面の簡単な説明】
【００１１】
【図１】本発明の一実施形態を示し、コネクタの斜視図である。
【図２】本発明の一実施形態を示し、コネクタの断面斜視図である。
【図３】本発明の一実施形態を示し、図２のＤ部位の要部斜視図である。
【図４】本発明の一実施形態を示し、カバーを解放位置としたコネクタハウジングの斜視図である。
【図５】本発明の一実施形態を示し、図４のＡ矢視図である。
【図６】本発明の一実施形態を示し、（ａ）はカバーを閉塞位置としたコネクタハウジングの正面図、（ｂ）は（ａ）のＢ−Ｂ線断面図である。
【図７】本発明の一実施形態を示し、コネクタの組付け過程を示す斜視図である。
【図８】本発明の一実施形態を示し、コネクタの組付け過程を示す斜視図である。
【図９】本発明の一実施形態を示し、（ａ）は細い電線径の電線を保持した状態を示す断面図（図６（ｂ）に対応する図）、（ｂ）は太い電線径の電線を保持した状態を示す断面図（図６（ｂ）に対応する図）である。
【図１０】従来例を示し、コネクタの断面図である。
【図１１】従来例を示し、図１０のＣ−Ｃ線断面図である。
【発明を実施するための形態】
【００１２】
以下、本発明の一実施形態を図面に基づいて説明する。
【００１３】
図１〜図９は本発明の一実施形態を示す。図１及び図２に示すように、コネクタ１は、電線Ｗの端末が接続された端子２と、端子２が収容されたコネクタハウジング１０と、コネクタハウジング１０に装着されるカバー２０とを備えている。
【００１４】
電線Ｗは、多数の素線（符号を付さず）が撚り合わされた芯線ｗ１と、芯線ｗ１の外周を覆う絶縁性の被覆部ｗ２より形成されている。電線Ｗの端末部は、被覆部ｗ２が剥ぎ取られ、芯線ｗ１が露出されている。
【００１５】
端子２は、相手端子（図示せず）に電気的に接続される端子接続部３と、端子接続部３に一体に設けられた電線加締め部４とを備えている。端子接続部３の先端側には、板バネ（図示せず）が収容された扁平枠体３ａ（図７に示す）が設けられている。扁平枠体３ａは、コネクタハウジング１０のコネクタ嵌合口に臨む位置に配置される。電線加締め部４は、端子接続部３の後端側部よりほぼ直交方向に延びている。つまり、端子２は、Ｌ字状形態であり、相手端子との接続方向ＷＹ１と電線Ｗの引出方向ＷＹ２がほぼ直角の向きに形成されている。
【００１６】
コネクタハウジング１０は、図４及び図５に詳しく示すように、ハウジング本体１１と、ハウジング本体１１の後端部より直角になる方向に突出するハウジング突部１２とを有する。ハウジング本体１１及びハウジング突部１２には、端子収容室１３が形成されている。ハウジング本体１１側の端子収容室１３とハウジング突部１２側の端子収容室１３は、ほぼ直角の向きに配置されている。つまり、端子収容室１３は、Ｌ字状に形成されている。ハウジング本体１１側の端子収容室１３には、端子２の端子接続部３が収容される。ハウジング突部１２側の端子収容室１３には、端子２の電線加締め部４が収容される。ハウジング突部１２には、端子収容室１３に連続するように電線引出孔１４が形成されている。端子収容室１３と電線引出孔１４の後面側には、開口部１５が形成されている。ハウジング本体１１とハウジング突部１２の後面側の外面には、一対のロック爪１６がそれぞれ設けられている。
【００１７】
ハウジング突部１２には、図２及び図３に詳しく示すように、電線引出孔１４内に突出するハウジング側電線保持部１７が２箇所に設けられている。２箇所のハウジング側電線保持部１７は、電線の引出方向ＷＹ２に間隔を空けて配置されている。各ハウジング側電線保持部１７は、上下方向に間隔を空けて配置された２つの支持アーム部１７ａと、２つの支持アーム部１７ａの先端間を連結する保持アーム部１７ｂとを有する。
【００１８】
カバー２０は、図４及び図５に詳しく示すように、ヒンジ部３０を介してコネクタハウジング１０に連結されている。カバー２０には、複数の弾性係止枠２１が設けられている。各弾性係止枠２１をコネクタハウジング１０のロック爪１６に係止することによってカバー２０がコネクタハウジング１０に装着される。カバー２０は、装着状態でコネクタハウジング１０の開口部１５を閉塞する。カバー２０は、弾性係止枠２１のロック爪１６への係止を解除することによってコネクタハウジング１０の開口部１５を解放する位置にできる。
【００１９】
カバー２０の内面には、１箇所にカバー側電線保持部２２が設けられている。カバー側電線保持部２２は、カバー２０のコネクタハウジング１０への装着状態では、電線引出孔１４内に突出する。カバー側電線保持部２２は、ハウジング側電線保持部１７と同様に、上下方向に間隔を空けて配置された２つの支持アーム部２２ａと、２つの支持アーム部２２ａの先端間を連結する保持アーム部２２ｂとを有する。
【００２０】
カバー側電線保持部２２は、カバー２０のコネクタハウジング１０への装着状態では、電線Ｗの引出方向ＷＹ２に対し、２箇所のハウジング側電線保持部１７の中間位置に配置される。換言すれば、ハウジング側電線保持部１７とカバー側電線保持部２２は、電線Ｗの引出方向ＷＹ２に交互に配置され、双方合せて３箇所に配置されている。ハウジング側電線保持部１７とカバー側電線保持部２２は、電線引出孔１４の幅寸法Ｄ（図６（ｂ）に示す）の半分の高さ寸法に形成されている。
【００２１】
次に、コネクタ１の組付け手順を説明する。図７に示すように、カバー２０を解放位置とする。そして、コネクタハウジング１０の開口部１５より端子２を端子収容室１３に、電線Ｗを電線引出孔１４にそれぞれ挿入する。
【００２２】
次に、図８に示すように、解放位置のカバー２０をコネクタハウジング１０に装着して開口部１５を閉塞すれば完了する（図１参照）。
【００２３】
このカバー２０の閉塞位置への移動過程で、２箇所のハウジング側電線保持部１７に１箇所のカバー側電線保持部２２が徐々に接近し、ハウジング側電線保持部１７とカバー側電線保持部２２が電線Ｗを包み込むよう互いに撓み変形し、電線Ｗを挟持する。
【００２４】
ここで、図９（ａ）に示すように、電線Ｗが細い電線径のものであれば、ハウジング側電線保持部１７とカバー側電線保持部２２は、主に双方の保持アーム部１７ｂ，２２ｂが中央箇所を窪ませる方向にそれぞれ撓み変形することによって電線Ｗを挟持する。
【００２５】
また、図９（ｂ）に示すように、電線Ｗが太い電線径のものであれば、ハウジング側電線保持部１７とカバー側電線保持部２２は、双方の保持アーム部１７ｂ，２２ｂが中央箇所を窪ませる方向にそれぞれ撓み変形し、且つ、双方の一対の支持アーム部１７ａ，２２ａが中央箇所を膨らます方向（互いに離間させる方向）にそれぞれ撓み変形することによって電線Ｗを挟持する。
【００２６】
以上説明したように、コネクタ１は、コネクタハウジング１０に可撓性のハウジング側電線保持部１７を設け、カバー２０に可撓性のカバー側電線保持部２２を設け、ハウジング側電線保持部１７とカバー側電線保持部２２が撓み変形した状態で電線Ｗを挟み込んで電線Ｗを保持するため、撓み変形によって挟持可能な電線径の範囲内であれば、電線径に係わらず電線Ｗを保持できる。これにより、異なる電線径の電線Ｗについて、電線Ｗがコネクタハウジング１０内で移動（振動）することに起因する電線Ｗの被覆部ｗ２の摩耗、異音の発生、端子２の端子接続部３の接点部の摩耗等を防止できる。
【００２７】
カバー２０は、コネクタハウジング１０にヒンジ部３０を介して連結されている。従って、部品点数の削減になる。カバー２０がコネクタハウジング１０に連結されているため、カバー２０の閉塞・解放時の作業性が良い。
【００２８】
ハウジング側電線保持部１７とカバー側電線保持部２２は、間隔を空けて配置された２本の支持アーム部１７ａ，２２ａと、２本の支持アーム部１７ａ，２２ａの先端間を連結する保持アーム部１７ｂ，２２ｂとを有する。従って、ほぼ保持アーム部１７ｂ，２２ｂの撓み変形によって電線Ｗを挟持したり、保持アーム部１７ｂ，２２ｂと一対の支持アーム部１７ａ，２２ａの双方の撓み変形によって電線Ｗを挟持できるため、対応できる電線径の範囲を広く取ることができる。ハウジング側電線保持部１７とカバー側電線保持部２２は、双方の撓み変形で電線Ｗを挟持できる構成であれば良い。ハウジング側電線保持部１７とカバー側電線保持部２２は、同一の形態に形成されているが、異なる形態であっても良い。
【００２９】
ハウジング側電線保持部１７とカバー側電線保持部２２は、電線Ｗの引出方向Ｗ２に交互に配置され、双方合せて３箇所に配置されている。従って、電線Ｗを屈曲（電線Ｗの長手方向の直交方向に屈曲）させる外力を作用させつつ挟持するため、外部からの電線引張力が端子２に直接作用するのを防止できる。ハウジング側電線保持部１７とカバー側電線保持部２２は、双方合せて４箇所以上に配置しても良い。ハウジング側電線保持部１７とカバー側電線保持部２２は、同じ可撓性能を有するものであれば、個数を多くすればするほど、電線Ｗの保持力が向上し、又、外部からの電線引張力が端子２に作用するのを効果的に防止できる。ハウジング側電線保持部１７とカバー側電線保持部２２は、電線Ｗの引出方向ＷＹ２の同一位置に配置しても良い。
【００３０】
端子２及びコネクタハウジング１０の端子収容室１３は、共にＬ字状形態であり、相手端子との接続方向ＷＹ１と電線Ｗの引出方向ＷＹ２がほぼ直角の向き（Ｌ字の向き）に形成されている。
【００３１】
（変形例）
前記実施形態では、カバー２０は、コネクタハウジング１０にヒンジ部３０を介して連結されているが、コネクタハウジング１０と連結されずに、単体の部品であっても良い。
【００３２】
前記実施形態では、相手端子との接続方向ＷＹ１に対する電線Ｗの引出方向ＷＹ２の向き（Ｌ字の向き）は、図１のコネクタハウジング１０の向きを基準とすると、左右方向であるが、どの方向（例えば上下方向、斜め方向）でも良い。
【符号の説明】
【００３３】
１  コネクタ
２  端子
１０  コネクタハウジング
１３  端子収容室
１４  電線引出孔
１５  開口部
１７  ハウジング側電線保持部
１７ａ  支持アーム部
１７ｂ  保持アーム部
２２  カバー側電線保持部
２２ａ  支持アーム部
２２ｂ  保持アーム部
３０  ヒンジ部
Ｗ  電線
【図１】
2019096455.tif 000003
【図２】
2019096455.tif 000004
【図３】
2019096455.tif 000005
【図４】
2019096455.tif 000006
【図５】
2019096455.tif 000007
【図６】
2019096455.tif 000008
【図７】
2019096455.tif 000009
【図８】
2019096455.tif 000010
【図９】
2019096455.tif 000011
【図１０】
2019096455.tif 000012
【図１１】
2019096455.tif 000013